(57)【要約】【課題】装置本体に取り付け部を複数設けて、大きさの異なる複数の薬剤保持体をそれぞれ取り付け可能にしたことにより、従来のような数種類用意した薬剤保持体にそれぞれ対応した装置本体を複数用意することなく、１台の装置本体で大きさの異なる数種類の薬剤保持体にそれぞれ対応することのでき、極めて効率の良い薬剤放散装置を提供する。【解決手段】送風ファン７を備えた装置本体１に薬剤を保持する薬剤保持体１２を取り付けて、薬剤保持体１２の薬剤を装置本体１の送風ファン７によって放散する薬剤放散装置において、装置本体１に設ける薬剤保持体１２を取り付ける取り付け部６を２個以上の複数設けて、大きさの異なる複数の薬剤保持体１２をそれぞれ取り付け可能にした薬剤放散装置である。【選択図】　　　図１
2004141115.tif 000002
【特許請求の範囲】
【請求項１】
送風ファン７を備えた装置本体１に薬剤を保持する薬剤保持体１２を取り付けて、薬剤保持体１２の薬剤を装置本体１の送風ファン７によって放散する薬剤放散装置において、
装置本体１に設ける薬剤保持体１２を取り付ける取り付け部６を２個以上の複数設けて、大きさの異なる複数の薬剤保持体１２をそれぞれ取り付け可能にしたことを特徴とする薬剤放散装置。
【請求項２】
装置本体１に設ける複数の取り付け部６を内側から外側に向かうにつれ高くなるように段差を付けた階段状に形成したことを特徴とする請求項１記載の薬剤放散装置。
【請求項３】
複数の薬剤保持体１２における装置本体１の取り付け部６側の外周端部に遮蔽枠２３を全周にわたって備えたことを特徴とする請求項１又は請求項２記載の薬剤放散装置。
【請求項４】
装置本体１に備えた送風ファン７をシロッコファンとしたことを特徴とする請求項１又は請求項２又は請求項３記載の薬剤放散装置。
【発明の詳細な説明】
【０００１】
【発明の属する技術分野】
本発明は、殺虫、忌避、消臭、芳香、防菌防黴等の目的に供する揮発性の薬剤を保持する薬剤保持体を、送風ファンを備えた装置本体に取り付けて、薬剤を送風ファンによって放散する薬剤放散装置に関するもので、特には、装置本体に設ける薬剤保持体を取り付ける取り付け部を複数設けた薬剤放散装置に関する。
【０００２】
【従来の技術】
従来、薬剤放散装置としては、送風ファンを備えた装置本体に薬剤を保持する薬剤保持体を取り付けて、薬剤保持体の薬剤を装置本体の送風ファンによって放散するものが知られていた。
【０００３】
昨今、このような薬剤放散装置において、害虫防除用としての薬剤放散装置が普及していた。この害虫防除用の薬剤放散装置にあっては、揮発性の薬剤を保持する薬剤保持体と、この薬剤保持体を取り付けて薬剤保持体の薬剤を送風ファンによって放散する装置本体とをセット品として市販していた。
【０００４】
この薬剤を保持する薬剤保持体としては、現在、同一用法用量の範囲内にて異なる使用期間、例えば、１ヶ月用と３ヶ月用等といったような商品が揃えられていた。また、今後は、異なる広さの空間、例えば、六畳程度の小部屋用から何十畳となる大部屋用といったようなもの、あるいは防除する害虫に応じたものといったように、数種類の薬剤保持体を用いる場面が往々にして増えるものと考えられる。
【０００５】
そこで、数種類の薬剤保持体を用意する際、内部に収納する薬剤の量、例えば、薬剤を含浸させる担体の量を増減することで対応することができるが、この場合、薬剤保持体の厚みを増減してしまうと、どうしても薬剤保持体内を通過する空気の通気状態が異なってしまい、これにより薬剤の放散が変化してしまうといった問題が起こるおそれがあった。
【０００６】
このため、薬剤保持体の厚みを増減するのではなく、薬剤保持体の面積、すなわち外形である大きさを異ならせることで、薬剤保持体内を通過する空気の通気状態を一定にし、薬剤の放散が変化することなく、数種類の薬剤保持体を用意することが良策と考えられていた。
【０００７】
【発明が解決しようとする課題】
しかしながら、数種類の薬剤保持体を用意する際、従来のような外形である大きさを異ならせた薬剤保持体を用いる場合、装置本体においては１台だけではこれに対応することができず、結果的に、数種類用意した薬剤保持体にそれぞれ対応した装置本体を複数用意して使用するしかなく、極めて効率が悪いといった問題があった。
【０００８】
本発明は、このようなことに鑑みなされたものであり、１台の装置本体で大きさの異なる数種類の薬剤保持体にそれぞれ対応することのできる薬剤放散装置を提供することを目的とするものである。
【０００９】
【課題を解決するための手段】
第１の発明は、送風ファンを備えた装置本体に薬剤を保持する薬剤保持体を取り付けて、薬剤保持体の薬剤を装置本体の送風ファンによって放散する薬剤放散装置において、装置本体に設ける薬剤保持体を取り付ける取り付け部を２個以上の複数設けて、大きさの異なる複数の薬剤保持体をそれぞれ取り付け可能にした薬剤放散装置である。
【００１０】
第２の発明は、第１の発明において、装置本体に設ける複数の取り付け部を内側から外側に向かうにつれ高くなるように段差を付けた階段状に形成した薬剤放散装置である。
【００１１】
第３の発明は、第１又は第２の発明において、複数の薬剤保持体における装置本体の取り付け部側の外周端部に遮蔽枠を全周にわたって備えた薬剤放散装置である。
【００１２】
第４の発明は、第１又は第２又は第３の発明において、装置本体に備えた送風ファンをシロッコファンとした薬剤放散装置である。
【００１３】
【作　　用】
第１の発明によれば、装置本体に取り付け部を複数設けて、大きさの異なる複数の薬剤保持体をそれぞれ取り付け可能にしたことにより、従来のような数種類用意した薬剤保持体にそれぞれ対応した装置本体を複数用意することなく、１台の装置本体で大きさの異なる数種類の薬剤保持体にそれぞれ対応することのでき、極めて効率の良い薬剤放散装置を提供することができる。
【００１４】
第２の発明によれば、複数の取り付け部を内側から外側に向かうにつれ高くなるように段差を付けた階段状に形成したことにより、ここでの空気の流れが阻害されるのを低減しつつ、構造が簡単で、かつ使用勝手の良いものにすることができる。
【００１５】
第３の発明によれば、複数の薬剤保持体における装置本体の取り付け部側の外周端部に遮蔽枠を全周にわたって備えたことで、複数の薬剤保持体を装置本体の各取り付け部に取り付けたとき、空気が流れる空間部が狭くなるのを防止しつつ、横からの乱流の発生を抑えて、空気を効率的に流すことができる。
【００１６】
第４の発明によれば、装置本体に備えた送風ファンをシロッコファンとしたことにより、装置本体の薄型化かつ小型化を図り、強いては当該薬剤放散装置の薄型化かつ小型化を図ることができ、容易に持ち運びすることができ、いろいろな場所に設置して使用することにより、非常に使い勝手が良く、実用性が良好なものにすることができる。
【００１７】
【発明の実施の形態】
本発明による薬剤放散装置の第１実施形態について説明する。
図１及び図２に示すように、プラスチック製の装置本体１を備え、装置本体１は側面２と底面３とから円筒状となり、その上方に大きな円形状の開口部４を形成すると共に、側面２にスリット状の開口部５を多数形成する。また、上方の開口部４の周囲には後述する薬剤保持体を取り付けるための取り付け部６を２個以上の複数設ける。
【００１８】
そして、この内部には、送風ファン７を備え、この送風ファン７は、遠心送風機の一種であるシロッコファンと呼ばれる多翼式送風機であり、回転方向に対して多数の幅の細い羽根８を円筒状に配置したもので、その回転中心にモータ９を備えて、このモータ９により多数の羽根８を回転させることで、空気を遠心方向に流すようにするものである。この送風ファン７により、装置本体１の上方の開口部４が空気を吸い込むための吸い込み口側となり、側面２に形成した開口部５が空気を放出するための放出口側となる。
【００１９】
さらに、この装置本体１の下部には電池収納部１０を形成して、この電池収納部１０の内部に電池１１を収納して、この電池１１によって送風ファン７を駆動する。
【００２０】
そして、この装置本体１の上方の開口部４の周囲に複数設ける取り付け部６としては、例えば、内側から外側に向かうにつれ高くなるように段差を三段付けた階段状に形成し、内側の一番低い一段目を第一取り付け部６ａにし、二段目を第二取り付け部６ｂにし、一番高い三段目を第三取り付け部６ｃにして、大きさの異なる３種類の薬剤保持体１２をそれぞれ取り付け可能にする。
【００２１】
一方、装置本体１の上方に複数設ける取り付け部６に取り付ける薬剤を保持するプラスチック製の薬剤保持体１２にあっては、基本的な構成は、図３及び図４に示すように、上面１３と下面１４と側面１５とから円筒状の偏平形状となり、上面１３に空気の出入りを可能にするスリットを年輪状に配置した形状の通気孔１６を形成すると共に、下面１４にも空気の出入りを可能にするスリットを年輪状に配置した形状の通気孔１７を形成する。
【００２２】
そして、この薬剤保持体１２の内部には、殺虫、忌避、消臭、芳香、防菌防黴等の目的に供する揮発性の薬剤を含浸させて保持する担体であるビスコパール粒１８を収容する。
【００２３】
なお、薬剤保持体１２にあっては、これに限定されるものではなく、ビスコパール粒１８の代わりに、担体として薬剤を含浸させて保持する多孔質セラミック成形体でも良く、また、綿状、スポンジ状、マット状のもの、あるいは薄いシート、ネット状シートを数枚重ねたものを担体として収納するようにしても良い。また、薬剤保持体１２の収納容器はプラスチック製に限定されるものではなく、陶器製でも良い。さらに、形状も円筒状に限定されるものではなく、四角形、菱形、多角形等でも良い。
【００２４】
そして、このようになる薬剤保持体１２にあっては、六畳程度の小部屋用から何十畳となる大部屋用といったように異なる広さの空間に対応するため、あるいは数種類の防除する害虫それぞれに対応するため、数種類、例えば薬剤保持体１２の厚みは同じであるが、外形である大きさの異なる３種類の薬剤保持体をそれぞれ用意する。これは、小型の第一薬剤保持体１２ａと、中型の第二薬剤保持体１２ｂと、大型の第三薬剤保持体１２ｃとである。
【００２５】
この装置本体１と各薬剤保持体１２とにあっては、例えば、図５に示すように、小型の第一薬剤保持体１２ａを装置本体１の第一取り付け部６ａに取り付ける。そして、装置本体１の内部に備えた送風ファン７によって、装置本体１においては吸い込み口側である上方の開口部４から放出口側である側面２の開口部５に向かう空気の流れが発生し、これにより、装置本体１の第一取り付け部６ａに取り付けた第一薬剤保持体１２ａにおいては上面１３の通気孔１６より空気が吸い込まれて、第一薬剤保持体１２ａの内部を流れて、下面１４の通気孔１７より装置本体１の上方の開口部４を経て装置本体１の内部へと流れ、装置本体１の側面２の開口部５から外部に放出する。このとき、第一薬剤保持体１２ａの内部のビスコパール粒１８に含浸した薬剤もこの空気に流れに乗って、第一薬剤保持体１２ａの内部から装置本体１の内部を経て外部へと放散する。
【００２６】
このように構成した薬剤放散装置にあっては、装置本体１に薬剤保持体１２を取り付ける際、小型の第一薬剤保持体１２ａから中型の第二薬剤保持体１２ｂ、大型の第三薬剤保持体１２ｃまでの外形である大きさの異なる３種類の薬剤保持体１２をそれぞれ用意し、使用場所の状況に応じて最適となる薬剤保持体１２を選択して、これを用いるようにする。このとき、小型の第一薬剤保持体１２ａを選択したときは、前述した図５に示すようにように、装置本体１の第一取り付け部６ａに取り付けるようにする。そして、中型の第二薬剤保持体１２ｂを選択したときは、図６に示すように、装置本体１の第二取り付け部６ｂに取り付けるようにする。また、大型の第三薬剤保持体１２ｃを選択したときは、図７に示すように、装置本体１の第三取り付け部６ｃに取り付けるようにする。
【００２７】
このように装置本体１に取り付け部６を複数設けて、大きさの異なる複数の薬剤保持体１２をそれぞれ取り付け可能にしたことにより、従来のような数種類用意した薬剤保持体１２にそれぞれ対応した装置本体１を複数用意することなく、１台の装置本体１で大きさの異なる数種類の薬剤保持体１２にそれぞれ対応することのでき、極めて効率の良い薬剤放散装置を提供することができる。
【００２８】
しかも、複数の取り付け部６を内側から外側に向かうにつれ高くなるように段差を付けた階段状に形成したことにより、ここでの空気の流れが阻害されるのを低減しつつ、構造が簡単で、かつ使用勝手の良いものにすることができる。
【００２９】
さらに、装置本体１に備えた送風ファン７を遠心送風機の一種の多翼式送風機であるシロッコファンとしたことにより、装置本体１の薄型化かつ小型化を図り、強いては当該薬剤放散装置の薄型化かつ小型化を図ることができ、しかも、電源として装置本体１の下部に備える電池１１を利用することで、容易に持ち運びすることができ、いろいろな場所に設置して使用することにより、非常に使い勝手が良く、実用性が良好なものにすることができる。
【００３０】
次に、前述した第１実施形態の変形例について説明する。
図８及び図９に示すように、装置本体１は、基本的には前述の第１実施形態のものと略同一であり、上方の開口部４の周囲に複数設ける取り付け部６において若干異なる。これは、内側から外側に向かうにつれ高くなるように段差を三段付けた階段状に形成する点では同じであるが、この三段付けた階段状の部分を高さと大きさ（径）の異なる２つのリング体２１，２２を備えることによって形成する。これにより、内側のリング体２１がない部分の上を第一取り付け部６ａにし、低く小さい大きさのリング体２１の上を第二取り付け部６ｂにし、高く大きな大きさのリング体２２の上を第三取り付け部６ｃにして、大きさの異なる３種類の薬剤保持体１２をそれぞれ取り付け可能にする。
【００３１】
このように装置本体１を構成することで、薬剤放散装置にあっては、装置本体１に薬剤保持体１２を取り付ける際、小型の第一薬剤保持体１２ａから中型の第二薬剤保持体１２ｂ、大型の第三薬剤保持体１２ｃまでの外形である大きさの異なる３種類の薬剤保持体１２をそれぞれ用意し、使用場所の状況に応じて最適となる薬剤保持体１２を選択して、これを用いるようにする。このとき、小型の第一薬剤保持体１２ａを選択したときは、図１０に示すように、装置本体１の第一取り付け部６ａに取り付けるようにする。そして、中型の第二薬剤保持体１２ｂを選択したときは、図１１に示すように、装置本体１の第二取り付け部６ｂに取り付けるようにする。また、大型の第三薬剤保持体１２ｃを選択したときは、図１２に示すように、装置本体１の第三取り付け部６ｃに取り付けるようにする。
【００３２】
これにより、前述の第１実施形態と同様、装置本体１に取り付け部６を複数設けて、大きさの異なる複数の薬剤保持体１２をそれぞれ取り付け可能にしたことにより、従来のような数種類用意した薬剤保持体１２にそれぞれ対応した装置本体１を複数用意することなく、１台の装置本体１で大きさの異なる数種類の薬剤保持体１２にそれぞれ対応することのでき、極めて効率の良い薬剤放散装置を提供することができる。
【００３３】
次に、本発明による薬剤放散装置の第２実施形態について説明する。
図１３及び図１４に示すように、装置本体１は、基本的に前述の第１実施形態の変形例と略同一であり、上方の開口部４の周囲に複数設ける取り付け部６に備えたリング体２１，２２において異なる。これは、大きさ（径）の異なる２つのリング体２１，２２を備える点では同じであるが、この２つのリング体２１，２２の高さを同一にする点で異なる。これにより、内側のリング体２１がない部分の上を第一取り付け部６ａにし、小さい大きさのリング体２１と大きな大きさのリング体２２との間の上を第二取り付け部６ｂにし、大きな大きさのリング体２２の外側の上を第三取り付け部６ｃにして、大きさの異なる３種類の薬剤保持体１２をそれぞれ取り付け可能にする。
【００３４】
一方、これらの取り付け部６に取り付ける薬剤を保持する薬剤保持体１２にあっては、基本的な構成は、前述の第１実施形態及びその変形例と同一であるが、遮蔽枠２３を備えた点で異なる。これは、図１５に示すように、薬剤保持体１２における装置本体１の取り付け部６側である下面１４の外周端部にリング状の遮蔽枠２３を全周にわたって備える。
【００３５】
このように、装置本体１、薬剤保持体１２を構成することで、薬剤放散装置にあっては、装置本体１に薬剤保持体１２を取り付ける際、使用場所の状況に応じて最適となる薬剤保持体１２を選択して、これを用いるようにする。このとき、小型の第一薬剤保持体１２ａを選択したときは、図１６に示すように、装置本体１の第一取り付け部６ａに取り付けるようにする。そして、中型の第二薬剤保持体１２ｂを選択したときは、図１７に示すように、装置本体１の第二取り付け部６ｂに取り付けるようにする。また、大型の第三薬剤保持体１２ｃを選択したときは、図１８に示すように、装置本体１の第三取り付け部６ｃに取り付けるようにする。なお、小型の第一薬剤保持体１２ａにあっては、図１９に示すように、遮蔽枠２３を全周にわたって備えなくても良い。
【００３６】
これにより、前述の第１実施形態及びその変形例と同様、装置本体１に取り付け部６を複数設けて、大きさの異なる複数の薬剤保持体１２をそれぞれ取り付け可能にしたことにより、従来のような数種類用意した薬剤保持体１２にそれぞれ対応した装置本体１を複数用意することなく、１台の装置本体１で大きさの異なる数種類の薬剤保持体１２にそれぞれ対応することのでき、極めて効率の良い薬剤放散装置を提供することができる。
【００３７】
しかも、複数の薬剤保持体１２における下面１４の外周端部に遮蔽枠２３を全周にわたって備えたことで、特に、中型の第二薬剤保持体１２ｂや大型の第三薬剤保持体１２ｃを装置本体１の第二取り付け部６ｂや第三取り付け部６ｃに取り付けたとき、空気が流れる空間部が狭くなるのを防止しつつ、横からの乱流の発生を抑えて、空気を効率的に流すことができる。
【００３８】
また、前述した第２実施形態の変形例について説明する。
基本的には、前述の第２実施形態のものと略同一であるが、取り付け部６において備える２つのリング体２１，２２が異なる。これは、図２０に示すように、この２つのリング体２１，２２に欠損部２４を等間隔に形成して、リング体２１，２２を間欠状にする。
【００３９】
これにより、リング体２１，２２に形成した欠損部２４を空気が流れる流通路として使用することができ、空気の流れを極めてスムーズにすることで、薬剤の放散を極めて良好にすることができる。
【００４０】
なお、前述した各実施形態にあっては、装置本体１に３個の取り付け部６を設けると共に、３種類の薬剤保持体１２を用意していたが、これに限定させるものではなく、図２１、図２２及び図２３に示すように、装置本体１に２個の取り付け部６ａ、６ｂを設けると共に、２種類の薬剤保持体１２ａ，１２ｂを用意するようにしても良く、さらに、装置本体１に４個以上の取り付け部６を設けると共に、４種類以上の薬剤保持体１２を用意するようにしても良い。
【００４１】
次に、本発明による薬剤放散装置の第３実施形態について説明する。
第３実施形態は、前述した第１実施形態や第２実施形態とタイプが全く異なる。これは、まず、図２４及び図２５に示すように、装置本体１は側面２と底面３とから半円長方形筒状となり、その上方に大きな円形状の開口部４を形成すると共に、半円となる部分の側面２にスリット状の開口部５を多数形成する。
【００４２】
そして、この内部には、前述した第１実施形態や第２実施形態と同様、送風ファン７を備えて、この送風ファン７により、装置本体１の上方の開口部４が空気を吸い込むための吸い込み口側となり、側面２に形成した開口部５が空気を放出するための放出口側となる。
【００４３】
さらに、この装置本体１の下部には電池収納部１０を形成して、この電池収納部１０の内部に電池１１を収納して、この電池１１によって送風ファン７を駆動する。
【００４４】
そして、この装置本体１の上方の開口部４の周囲に取り付け部６を２個設け、この取り付け部６は、横方向から薬剤保持体１２を挿入して取り付けるタイプであり、半円長方形状の段差により二段付けた階段状に形成し、内側の一番低い一段目を第一取り付け部６ａにし、二段目を第二取り付け部６ｂにして、大きさの異なる２種類の薬剤保持体１２をそれぞれ取り付け可能にする。
【００４５】
一方、装置本体１の上方に設ける取り付け部６に取り付ける薬剤を保持する薬剤保持体１２にあっては、基本的な構成は、図２６及び図２７に示すように、揮発性の薬剤を含浸させて保持する担体であるネット状シート２５の周囲をプラスチック２６にて固定した半円長方形のプレート状にしたものであり、上面と下面とにおいて空気の出入りを可能にしている。なお、このように薬剤保持体１２にあっては、収納容器を使用することなく、ネット等の薄いプレート状成形体として用いるようにしても良い。
【００４６】
そして、この薬剤保持体１２を外形である大きさの異なる小型の第一薬剤保持体１２ａと大型の第二薬剤保持体１２ｂとの２種類の薬剤保持体１２をそれぞれ用意する。
【００４７】
このように、薬剤放散装置を構成することで、装置本体１に薬剤保持体１２を取り付ける際、使用場所の状況に応じて最適となる薬剤保持体１２を選択して、これを用いるようにする。このとき、小型の第一薬剤保持体１２ａを選択したときは、図２８に示すように、装置本体１の第一取り付け部６ａに取り付けるようにする。そして、大型の第二薬剤保持体１２ｂを選択したときは、図２９に示すように、装置本体１の第二取り付け部６ｂに取り付けるようにする。なお、この第二薬剤保持体１２ｂにあっては、一端の下部に遮断用の板体２７を備えることで、第一薬剤保持体１２ａを挿入するための入り口を塞ぐようになっている。
【００４８】
これによっても、前述の第１実施形態や第２実施形態及びそれらの変形例と同様、装置本体１に取り付け部６を複数設けて、大きさの異なる複数の薬剤保持体１２をそれぞれ取り付け可能にしたことにより、従来のような数種類用意した薬剤保持体１２にそれぞれ対応した装置本体１を複数用意することなく、１台の装置本体１で大きさの異なる数種類の薬剤保持体１２にそれぞれ対応することのでき、極めて効率の良い薬剤放散装置を提供することができる。
【００４９】
なお、前述した各実施形態にあっては、装置本体１の側面２の開口部５の形成箇所は、側面２の左右に形成したが、これに限定されるものではなく、一方向の側面２に、あるいは側面２全周に形成しても良い。また、電池収納部１０を装置本体１の下部に形成していたが、装置本体１の側面２の横側に形成するようにしても良い。このように、装置本体１や薬剤保持体１２については、前述したものに限定されるものではなく、他の形状や構造のものでも良い。
【００５０】
【発明の効果】
本発明によれば、装置本体に取り付け部を複数設けて、大きさの異なる複数の薬剤保持体をそれぞれ取り付け可能にしたことにより、従来のような数種類用意した薬剤保持体にそれぞれ対応した装置本体を複数用意することなく、１台の装置本体で大きさの異なる数種類の薬剤保持体にそれぞれ対応することのでき、極めて効率の良い薬剤放散装置を提供することができる。
【００５１】
本発明によれば、複数の取り付け部を内側から外側に向かうにつれ高くなるように段差を付けた階段状に形成したことにより、ここでの空気の流れが阻害されるのを低減しつつ、構造が簡単で、かつ使用勝手の良いものにすることができる。
【００５２】
本発明によれば、複数の薬剤保持体における装置本体の取り付け部側の外周端部に遮蔽枠を全周にわたって備えたことで、複数の薬剤保持体を装置本体の各取り付け部に取り付けたとき、空気が流れる空間部が狭くなるのを防止しつつ、横からの乱流の発生を抑えて、空気を効率的に流すことができる。
【００５３】
本発明によれば、装置本体に備えた送風ファンをシロッコファンとしたことにより、装置本体の薄型化かつ小型化を図り、強いては当該薬剤放散装置の薄型化かつ小型化を図ることができ、容易に持ち運びすることができ、いろいろな場所に設置して使用することにより、非常に使い勝手が良く、実用性が良好なものにすることができる。
【図面の簡単な説明】
【図１】第１実施形態の薬剤放散装置における装置本体の断面図である。
【図２】第１実施形態の薬剤放散装置における装置本体の上面図である。
【図３】第１実施形態の薬剤放散装置における薬剤保持体の断面図である。
【図４】第１実施形態の薬剤放散装置における薬剤保持体の上面図である。
【図５】第１実施形態の薬剤放散装置の状態説明図である。
【図６】第１実施形態の薬剤放散装置の状態説明図である。
【図７】第１実施形態の薬剤放散装置の状態説明図である。
【図８】第１実施形態の変形例の薬剤放散装置における装置本体の断面図である。
【図９】第１実施形態の変形例の薬剤放散装置における装置本体の上面図である。
【図１０】第１実施形態の変形例の薬剤放散装置の状態説明図である。
【図１１】第１実施形態の変形例の薬剤放散装置の状態説明図である。
【図１２】第１実施形態の変形例の薬剤放散装置の状態説明図である。
【図１３】第２実施形態の薬剤放散装置における装置本体の断面図である。
【図１４】第２実施形態の薬剤放散装置における装置本体の上面図である。
【図１５】第２実施形態の薬剤放散装置における薬剤保持体の断面図である。
【図１６】第２実施形態の薬剤放散装置の状態説明図である。
【図１７】第２実施形態の薬剤放散装置の状態説明図である。
【図１８】第２実施形態の薬剤放散装置の状態説明図である。
【図１９】第２実施形態の薬剤放散装置の状態説明図である。
【図２０】第２実施形態の変形例の薬剤放散装置における装置本体の上面図である。
【図２１】他の実施形態の薬剤放散装置における装置本体の断面図である。
【図２２】他の実施形態の薬剤放散装置の状態説明図である。
【図２３】他の実施形態の薬剤放散装置の状態説明図である。
【図２４】第３実施形態の薬剤放散装置における薬剤保持体の断面図である。
【図２５】第３実施形態の薬剤放散装置における薬剤保持体の上面図である。
【図２６】第３実施形態の薬剤放散装置における薬剤保持体の断面図である。
【図２７】第３実施形態の薬剤放散装置における薬剤保持体の上面図である。
【図２８】第３実施形態の薬剤放散装置の状態説明図である。
【図２９】第３実施形態の薬剤放散装置の状態説明図である。
【符号の説明】
１…装置本体、２…側面、３…底面、４…開口部、５…開口部、６…取り付け部、６ａ…第一取り付け部、６ｂ…第二取り付け部、６ｃ…第三取り付け部、７…送風ファン、８…羽根、９…モータ、１０…電池収納部、１１…電池、１２…薬剤保持体、１２ａ…第一薬剤保持体、１２ｂ…第二薬剤保持体、１２ｃ…第三薬剤保持体、１３…上面、１４…下面、１５…側面、１６…通気孔、１７…通気孔、１８…ビスコパール粒、２１…リング体、２２…リング体、２３…遮蔽枠、２４…欠損部、２５…ネット状シート、２６…プラスチック、２７…板体。
【図１】
2004141115.tif 000003
【図２】
2004141115.tif 000004
【図３】
2004141115.tif 000005
【図４】
2004141115.tif 000006
【図５】
2004141115.tif 000007
【図６】
2004141115.tif 000008
【図７】
2004141115.tif 000009
【図８】
2004141115.tif 000010
【図９】
2004141115.tif 000011
【図１０】
2004141115.tif 000012
【図１１】
2004141115.tif 000013
【図１２】
2004141115.tif 000014
【図１３】
2004141115.tif 000015
【図１４】
2004141115.tif 000016
【図１５】
2004141115.tif 000017
【図１６】
2004141115.tif 000018
【図１７】
2004141115.tif 000019
【図１８】
2004141115.tif 000020
【図１９】
2004141115.tif 000021
【図２０】
2004141115.tif 000022
【図２１】
2004141115.tif 000023
【図２２】
2004141115.tif 000024
【図２３】
2004141115.tif 000025
【図２４】
2004141115.tif 000026
【図２５】
2004141115.tif 000027
【図２６】
2004141115.tif 000028
【図２７】
2004141115.tif 000029
【図２８】
2004141115.tif 000030
【図２９】
2004141115.tif 000031